(57)【特許請求の範囲】
【請求項１】
左右両側の縦フレームとそれらの上下に設けられた上側水平フレームおよび下側水平フレームとを備えたほぼ長方形状のフレームと、そのフレームに囲まれた空間を覆う間仕切りシートとを備えた多機能フェンスであって、
縦フレームの上端部および下端部には、ジョイント金具が挿入される金具挿入穴が設けられており、縦フレーム上端部の金具挿入穴に挿入されたジョイント金具の突出部分を別の多機能フェンスの縦フレーム下端部の金具挿入穴に挿入して上下方向に複数段の多機能フェンスが連結できるように構成し、
ジョイント金具は、縦フレームの上端部および下端部に設けられた金具挿入穴に挿入されるジョイント金具本体の長手方向の両端部から不等分な位置にジョイント金具側ストッパーが設けられている一方、
縦フレームの上端部に設けられた金具挿入穴には、当該縦フレームの上端部からジョイント金具側ストッパーの設置位置とジョイント金具端部までの長さの内、短尺側の長さの位置にジョイント金具のジョイント金具本体は通し、かつ、ジョイント金具側ストッパーは通さないように突出したフレーム側ストッパーが設けられており、
当該多機能フェンスの上方に別の多機能フェンスを載置しない場合には、当該多機能フェンスの縦フレームの上端部に設けられた金具挿入穴に、ジョイント金具側ストッパーの設置位置からジョイント金具端部までの長さが長尺側の方を下にしてジョイント金具を挿入して、縦フレームの上端部からジョイント金具本体の端部が突出しないように収容可能である一方、
当該多機能フェンスの上方に別の多機能フェンスを載置する場合には、当該多機能フェンスの縦フレームの上端部に設けられた金具挿入穴に、ジョイント金具側ストッパーの設置位置からジョイント金具端部までの長さが短尺側の方を下にしてジョイント金具を挿入して、縦フレームの上端部からジョイント金具本体の端部を突出させ、その突出部分を別の多機能フェンスの縦フレーム下端部の金具挿入穴に挿入して上下方向に複数段の多機能フェンスが連結できるように構成したことを特徴とする多機能フェンス。
【請求項２】
請求項１記載の多機能フェンスにおいて、
ジョイント金具には、
ジョイント金具側ストッパーの設置位置からジョイント金具端部までの長さが短尺側のジョイント金具端部から突出するように折り曲げ自在のベルトが設けられていることを特徴とする多機能フェンス。
【請求項３】
請求項１または請求項２記載の多機能フェンスにおいて、
ジョイント金具の両端部には、さらに、ジョイント金具側ストッパーよりも突出量が小さく、縦フレームの上端部および下端部に設けられた金具挿入穴に設けられた前記フレーム側ストッパーと当該金具挿入穴内側面との間の隙間に挿入可能な突出量であるサブ突起がそれぞれ設けられている一方、
上側水平フレームの左右両端部には、ジョイント金具のサブ突起が嵌る連結用穴部が形成されており、複数の多機能フェンスを直角または直線状に連結する場合、隣接する２つの多機能フェンスの上側水平フレームの連結用穴部それぞれに、ジョイント金具のサブ突起を嵌めることができるように構成されていることを特徴とする多機能フェンス。
【請求項４】
左右両側の縦フレームとそれらの上下に設けられた上側水平フレームおよび下側水平フレームとを備えたほぼ長方形状のフレームと、そのフレームに囲まれた空間を覆う間仕切りシートとを備えた多機能フェンスであって、
縦フレームの上端部および下端部には、ジョイント金具が挿入される金具挿入穴が設けられており、縦フレーム上端部の金具挿入穴に挿入されたジョイント金具の突出部分を別の多機能フェンスの縦フレーム下端部の金具挿入穴に挿入して上下方向に複数段の多機能フェンスが連結できるように構成し、
ジョイント金具は、縦フレームの上端部および下端部に設けられた金具挿入穴に挿入されるジョイント金具本体の長手方向の両端部から不等分な位置にジョイント金具側ストッパーが設けられている一方、
縦フレームの上端部に設けられた金具挿入穴には、当該縦フレームの上端部からジョイント金具側ストッパーの設置位置とジョイント金具端部までの長さの内、短尺側の長さの位置にジョイント金具のジョイント金具本体は通し、かつ、ジョイント金具側ストッパーは通さないように突出したフレーム側ストッパーが設けられており、
前記フレーム側ストッパーは、さらに、縦フレームと上側水平フレームとを連結するコーナー金具および縦フレームの側面を貫通するネジ先端に縦フレーム上端部の金具挿入穴内で螺合して前記コーナー金具を前記縦フレームの側面に固定することを特徴とする多機能フェンス。
【請求項５】
請求項１〜請求項４のいずれか一の請求項に記載の多機能フェンスにおいて、
前記上側水平フレームおよび下側水平フレームの左右両側には、それぞれ、スライドシャッター挿入穴が設けられており、そのスライドシャッター挿入穴にはスライドして前記縦フレームの上端部および下端部に設けられた金具挿入穴を遮蔽したり露出させるスライドシャッターが設けられていることを特徴とする多機能フェンス。
【請求項６】
請求項１〜請求項５のいずれか一の請求項に記載の多機能フェンスにおいて、
さらに、左右両側の縦フレームの下端部にそれぞれ装着して多機能フェンスの高さを嵩上げする嵩上げ用脚部が設けられていることを特徴とする多機能フェンス。
【発明の詳細な説明】
【技術分野】
【０００１】
本発明は、左右両側の縦フレームとそれらの上下に設けられた上側水平フレームおよび下側水平フレームとを備えたほぼ長方形状のフレームと、そのフレームに囲まれた空間を覆う間仕切りシートとを備えた多機能フェンスに関し、特に、上下方向に積載することによって高さを変更することができる多機能フェンスに関するものである。
【背景技術】
【０００２】
従来、体育館で競技する卓球の防球用フェンスとして、例えば、特許文献１〜３のフェンスが提案されている。また、簡易仕切りパネルとしては、例えば、特許文献４のものが提案されていたり、災害用仕切りエアーマットとしては、例えば、特許文献５のものが提案されている。
【先行技術文献】
【特許文献】
【０００３】
【特許文献１】特許第３７１７８３０号公報
【特許文献２】実開昭４９−５４５６５号公報
【特許文献３】実開平４−４２８６５号公報
【特許文献４】特開２００９−２９９７６４号公報
【特許文献５】特開２０１２−５７４５４号公報
【発明の概要】
【発明が解決しようとする課題】
【０００４】
ところで、災害時には学校の体育館等は、避難場所として使用され、その際に卓球用防球フェンス等がプライバシー確保のため間仕切りとして利用される。
【０００５】
しかしながら、卓球用防球フェンスは、通常、床からの高さが７５ｃｍ前後で低いため、プライバシー確保のため目隠用フェンスとして使用する場合には不十分であるという問題点がある。
【０００６】
その一方、特許文献４に記載の簡易仕切りパネルや特許文献５に記載の災害用仕切りエアーマットは、床からの高さが１８０ｃｍ以上あるため、災害時の目隠しとして最適であるものの、卓球用防球フェンスとしては背が高過ぎて使用に適さず、卓球やバレーボール、バスケットボール等の球技用の防球フェンスには使用に適さない、という問題点がある。
【０００７】
そのため、高さが７５ｃｍ前後の背の低い防球フェンスと、高さが１８０ｃｍ前後の目隠し専用の移動式スクリーン（間仕切り）とを別途用意しているところもあるが、この場合、コストがかかると共に、保管場所も広く必要になるので、学校関係者等からは通常時は体育館内で卓球やバレー、バスケットボール等の防球フェンスとして使用し、災害時や体育館内において選手に対しマッサージをしたり、作戦会議を行なったり、健康診断や着替え場所の目隠しとして兼用可能な防球フェンスが望まれている。
【０００８】
そこで、本発明は、上下方向に積み上げない場合には卓球やバレー、バスケットボール等の防球フェンスとして使用できる一方、災害時等のようにプライバシーを確保するため間仕切り等として使用する場合には簡単に積み上げて目隠しとして使用でき、通常時も災害時も使用可能な多機能フェンスを提供することを目的とする。
【課題を解決するための手段】
【０００９】
課題を解決するため、本発明に係る多機能フェンスは、左右両側の縦フレームとそれらの上下に設けられた上側水平フレームおよび下側水平フレームとを備えたほぼ長方形状のフレームと、そのフレームに囲まれた空間を覆う間仕切りシートとを備えた多機能フェンスであって、縦フレームの上端部および下端部には、ジョイント金具が挿入される金具挿入穴が設けられており、縦フレーム上端部の金具挿入穴に挿入されたジョイント金具の突出部分を別の多機能フェンスの縦フレーム下端部の金具挿入穴に挿入して上下方向に複数段の多機能フェンスが連結できるように構成したことを特徴とする。
また、本発明に係る多機能フェンスでは、ジョイント金具は、縦フレームの上端部および下端部に設けられた金具挿入穴に挿入されるジョイント金具本体の長手方向の両端部から不等分な位置にジョイント金具側ストッパーが設けられている一方、縦フレームの上端部に設けられた金具挿入穴には、当該縦フレームの上端部からジョイント金具側ストッパーの設置位置とジョイント金具端部までの長さの内、短尺側の長さの位置にジョイント金具のジョイント金具本体は通し、かつ、ジョイント金具側ストッパーは通さないように突出したフレーム側ストッパーが設けられており、当該多機能フェンスの上方に別の多機能フェンスを載置しない場合には、当該多機能フェンスの縦フレームの上端部に設けられた金具挿入穴に、ジョイント金具側ストッパーの設置位置からジョイント金具端部までの長さが長尺側の方を下にしてジョイント金具を挿入して、縦フレームの上端部からジョイント金具本体の端部が突出しないように収容可能である一方、当該多機能フェンスの上方に別の多機能フェンスを載置する場合には、当該多機能フェンスの縦フレームの上端部に設けられた金具挿入穴に、ジョイント金具側ストッパーの設置位置からジョイント金具端部までの長さが短尺側の方を下にしてジョイント金具を挿入して、縦フレームの上端部からジョイント金具本体の端部を突出させ、その突出部分を別の多機能フェンスの縦フレーム下端部の金具挿入穴に挿入して上下方向に複数段の多機能フェンスが連結できるように構成したことも特徴とする。
また、本発明に係る多機能フェンスでは、ジョイント金具には、ジョイント金具側ストッパーの設置位置からジョイント金具端部までの長さが短尺側のジョイント金具端部から突出するように折り曲げ自在のベルトが設けられていることも特徴とする。
また、本発明に係る多機能フェンスでは、ジョイント金具の両端部には、さらに、ジョイント金具側ストッパーよりも突出量が小さく、縦フレームの上端部および下端部に設けられた金具挿入穴に設けられたフレーム側ストッパーと当該金具挿入穴内側面との間の隙間も挿入可能な突出量であるサブ突起がそれぞれ設けられている一方、上側水平フレームの左右両端部には、ジョイント金具のサブ突起が嵌る連結用穴部が形成されており、複数の多機能フェンスを直角または直線状に連結する場合、隣接する２つの多機能フェンスの上側水平フレームの連結用穴部それぞれに、ジョイント金具のサブ突起を嵌めることができるように構成されていることも特徴とする。
また、本発明に係る多機能フェンスでは、フレーム側ストッパーは、縦フレームと上側水平フレームまたは下側水平フレームと連結するコーナー金具と縦フレームの上端部および下端部に設けられた金具挿入穴内でネジ等により固定され、当該金具挿入穴内で突出する受金具であることも特徴とする。
また、本発明に係る多機能フェンスでは、前記上側水平フレームおよび下側水平フレームの左右両側には、それぞれ、スライドシャッター挿入穴が設けられており、そのスライドシャッター挿入穴にはスライドして前記縦フレームの上端部および下端部に設けられた金具挿入穴を遮蔽したり露出させるスライドシャッターが設けられていることも特徴とする。
また、本発明に係る多機能フェンスでは、さらに、左右両側の縦フレームの下端部にそれぞれ装着して多機能フェンスの高さを嵩上げする嵩上げ用脚部が設けられていることも特徴とする。
【発明の効果】
【００１０】
本発明に係る多機能フェンスでは、縦フレームの上端部および下端部には、ジョイント金具が挿入される金具挿入穴が設けられており、縦フレーム上端部の金具挿入穴にはジョイント金具が突出するように挿入され、ジョイント金具の突出部分を別の多機能フェンスの縦フレーム下端部の金具挿入穴に挿入して上下方向に複数段の多機能フェンスが連結できるように構成している。
そのため、本発明によれば、上下方向に多機能フェンスを積み上げない場合には卓球やバレー、バスケットボール等の防球フェンスとして使用できる一方、災害時等のようにプライバシーを確保するため間仕切り等として使用する場合には多機能フェンスを上下方向に積み上げて目隠しとして使用することができるので、通常時も災害時も使用でき、使用勝手が優れた多機能フェンスを提供することができる。
【図面の簡単な説明】
【００１１】
【図１】（ａ），（ｂ）それぞれ、本発明に係る実施形態の多機能フェンス（間仕切りシートを省略。）の正面図、側面図である。
【図２】本発明に係る実施形態の多機能フェンスの右側上端部と右側下端部とを拡大して示す拡大正面図である。
【図３】（ａ），(ｂ)それぞれ、本発明に係る実施形態の多機能フェンスを構成するジョイント金具の正面図、側面図である。
【図４】本発明に係る実施形態の多機能フェンスを構成するジョイント金具の長尺側を下にして縦フレームの上側金具挿入穴に収容した状態を示す要部拡大断面図である。
【図５】本発明に係る実施形態の多機能フェンスを構成するジョイント金具の短尺側を下にして縦フレームの上側金具挿入穴に挿入して状端部を突出させ、突出した上端部に別の多機能フェンスの縦フレームの下側金具挿入穴に挿入させた状態を示す要部拡大断面図である。
【図６】（ａ）〜（ｄ）それぞれ、本発明に係る実施形態の多機能フェンスを構成する嵩上げ用脚部の嵩上げ用脚部土台の平面図および正面図、嵩上げ用脚部支柱の正面図、側面図である。
【図７】（ａ）〜（ｃ）それぞれ、本発明に係る実施形態の多機能フェンスを構成する嵩上げ用脚部の嵩上げ用脚部土台の正面図、平面図、左側面図である。
【図８】（ａ）〜（ｃ）それぞれ、本発明に係る実施形態の多機能フェンスを構成する嵩上げ用脚部の嵩上げ用脚部土台の他の例の平面図、他の例の嵩上げ用脚部土台を使用した嵩上げ用脚部の正面図、側面図である。
【図９】本発明に係る実施形態の多機能フェンスを上下方向に２段連結すると共に左右方向にも上段および下段でそれぞれ２台連結した合計４台を設置した状態を示す斜視図である。
【図１０】（ａ），（ｂ）それぞれ、図１０におけるＡ部分の要部拡大図、要部拡大正面断面図である。
【図１１】本発明に係る実施形態の多機能フェンスを上下方向に２段連結すると共に左右方向にも上段および下段でそれぞれ３台連結し、その内、３台目は直角方向に曲げて合計６台を設置した状態を示す斜視図である。
【図１２】（ａ），（ｂ）それぞれ、図１１におけるＢ部分の要部拡大正面図、Ｆ部分においてジョイント金具を連結金具として使用した一例を示す要部拡大平面図である。
【図１３】（ａ），（ｂ）それぞれ、図１１におけるＣ部分の要部拡大正面図、Ｇ部分においてジョイント金具を連結金具として使用した一例を示す要部拡大平面図である。
【図１４】（ａ）〜（ｃ）それぞれ、本発明に係る実施形態の多機能フェンスを構成する間仕切りシートの他の構成例を示す斜視図、長方形フレームに被せた状態の一部を示す斜視図である。
【発明を実施するための形態】
【００１２】
以下、本発明に係る多機能フェンスの実施形態を、添付図面を参照しながら詳細に説明する。なお、下記に説明する実施形態はその寸法等も含めあくまで本発明の一例であり、本発明は下記の実施形態に限定されるものではなく、本発明の技術思想の範囲内で適宜変更可能である。
【００１３】
実施形態の多機能フェンス１は、図１に示すように左右両側の縦フレーム１１，１１と左右両側の縦フレーム１１，１１の上下それぞれに設けられた上側水平フレーム１２および下側水平フレーム１３とをコーナー金具１４等で長方形状に連結した長方形フレーム１０と、その長方形フレーム１０に囲まれた空間を覆う間仕切りシート１５（図１等では省略しており、図２で図示している。また、図１４では別の間仕切りシート１５’を図示している。）と、実施形態の多機能フェンス１を上下方向に積載する際に使用するジョイント金具１６（図１では省略しているため、図３〜図５等参照。）と、嵩上げ用脚部１７（図１では省略しているため、図６〜図８等参照。）等を備えたもので、卓球やバレーボール、バスケットボール等の球技の防球フェンスとして使用する場合には多機能フェンス１を上下方向に積載せずに使用する一方、災害時や目隠しフェンスとして使用する場合には多機能フェンス１を上下方向に積載したり、さらには嵩上げ用脚部１７によって高さを嵩上げすることによって高さを容易かつ簡単に変更できるように構成している。尚、本発明では、嵩上げ用脚部１７はオプションの扱いで省略しても良い。
【００１４】
ここで、長方形フレーム１０の大きさ（寸法）は、例えば、図１(ａ)に示すように幅が１４００ｍｍ、高さが７５０ｍｍである。また、下側水平フレーム１３の左右両側の下面側には、それぞれ後述する回転式標準脚部１３ａが設けられており、回転式標準脚部１３ａは、その高さが例えば１５ｍｍで、前後両端の位置から不等分な位置に回転軸によって回転可能に構成されている。
【００１５】
また、長方形フレーム１０を構成する左右両側の縦フレーム１１，１１、上側水平フレーム１２および下側水平フレーム１３は、共に断面が正方形状の角パイプから構成されており、丸パイプの場合よりも上下方向に連結（積載）し易く構成している。さらに、図１では、図示を省略しているが、右の縦フレーム１１，１１、上側水平フレーム１２および下側水平フレーム１３の表面側および裏面側には、図２に示すように、それぞれ２０ｃｍ程度の設置間隔で間仕切りシート１５を張り付けることが出来るように例えば雄の面ファスナー１５ｂが巻き付けたり、接着剤等で設けられている。
【００１６】
（縦フレーム１１，１１）
縦フレーム１１，１１は、断面が正方形状の角パイプから構成されているため、その上端部および下端部には、それぞれ、後述する図４や図５等に示すようにジョイント金具１６が挿入される上側金具挿入穴１１ａと下側金具挿入穴１１ｂが設けられている。
【００１７】
左右両側の縦フレーム１１と上側水平フレーム１２とは、図２や図４等に示すように９０度に折れ曲がったコーナー金具１４と平板状で縦フレーム１１，１１内に挿入される水平受金具１４ａとを２本のネジ１４ｂによって連結しており、縦フレーム１１の上側金具挿入穴１１ａ内で突出する水平受金具１４ａが上側金具挿入穴１１ａ内におけるジョイント金具１６のフレーム側ストッパーとして機能する。
【００１８】
ここで、図２に示すように縦フレーム１１の上側金具挿入穴１１ａ内における水平受金具１４ａ上端部から縦フレーム１１上端部までの長さをＬ１とする。
【００１９】
また、図４に示すように、左右両側の縦フレーム１１の断面正方形状の角パイプの厚さ（肉厚）をＷ１、縦フレーム１１の内側面間の間隔をＷ２、水平受金具１４ａの上面から反対側の縦フレーム１１の内側面までの幅をＷ３とする。
【００２０】
同様に左右両側の縦フレーム１１と下側水平フレーム１３とは、図２に示すように９０度に折れ曲がったコーナー金具１４と平板状で縦フレーム１１，１１内に挿入される水平受金具１４ａとを２本のネジ１４ｂによって連結しており、水平受金具１４ａが下側金具挿入穴１１ｂ内におけるジョイント金具１６のフレーム側ストッパーとして機能する。
【００２１】
ここで、図２に示すように水平受金具１４ａ下端部から縦フレーム１１下端部までの長さをＬ２とする。尚、Ｌ２はＬ１と同じでも勿論良い。
【００２２】
（上側フレーム１２）
上側フレーム１２も上述したように断面が正方形状の角パイプから構成されており、左右両側の縦フレーム１１，１１上端部とは、図２や図４等に示すようにコーナー金具１４とＬ字形状で水平部分が上側フレーム１２内に挿入される水平受金具１４ａとを２本のネジ１４ｂによって連結されている。
【００２３】
また、上側フレーム１２の左右両側の上側面には、後述するようにジョイント金具１６のジョイント金具側ストッパー１６ｄおよびサブ突起１６ｅ，１６ｆが入出して嵌る複数の連結用穴部１２ａ（図１３（ｂ）参照。）が設けられている。連結用穴部１２ａを設ける位置は、後述する図１２（ｂ）や図１３（ｂ）に示すようにジョイント金具１６を隣接する多機能フェンス１，１同士の直線状または直角に連結する際の連結金具として使用した場合にジョイント金具１６のジョイント金具側ストッパー１６ｄおよびサブ突起１６ｅ，１６ｆが嵌る位置に設けるようにする。
【００２４】
そして、本実施形態では、上側フレーム１２の左右両側のスライドシャッター挿入穴１２ｂには、それぞれ、そのスライドシャッター挿入穴１２ｂ内を水平方向（横方向）にスライドして左右両側の縦フレーム１１，１１の上側金具挿入穴１１ａを遮蔽したり露出させることができるようにスライドシャッター挿入穴１２ｂの高さとほぼ同じ高さを有する上側挿入穴用スライドシャッター１２ｃを有する。
【００２５】
上側挿入穴用スライドシャッター１２ｃは、直方体形状のスライト体１２ｃ１と、スライド体１２ｃ１の上面に設けられ左右両側の縦フレーム１１，１１の上側金具挿入穴１１ａを遮蔽したり露出させる平板状のシャッター体１２ｃ２とから構成されている。これにより、縦フレーム１１，１１の上側金具挿入穴１１ａ内にジョイント金具１６を収納させておく場合には、図２や図４に示すように図２や図４上、右側にスライドさせてシャッター体１２ｃ２により上側金具挿入穴１１ａを遮蔽して上側金具挿入穴１１ａ内にゴミや指等が入らないようにする一方、上側金具挿入穴１１ａからジョイント金具１６を取り出して使用する場合は、図５等に示すように図５上、左方向にスライドさせて上側金具挿入穴１１ａを露出させる（開ける）。
【００２６】
尚、図２では、上側挿入穴用スライドシャッター１２ｃを図上右方向にスライドさせて上側金具挿入穴１１ａを遮蔽し、図４でもジョイント金具１６のベルト１６ｂの二重折畳み部１６ｂ１は突出させているものの図上右方向にスライドさせて上側金具挿入穴１１ａを遮蔽して状態、図５ではジョイント金具１６を使用して多機能フェンス１を上下２段で連結しているため、下段の多機能フェンス１の上側挿入穴用スライドシャッター１２ｃを図５上、左方向にスライドさせて上側金具挿入穴１１ａを露出させ（開け）ている状態を示している。
【００２７】
（下側フレーム１３）
下側フレーム１３も上述したように断面が正方形状の角パイプから構成されており、上側フレーム１２と同様に左右両側の縦フレーム１１，１１下端部とは、図２に示すようにコーナー金具１４とＬ字形状で水平部分が上側フレーム１２内に挿入される水平受金具１４ａとを２本のネジ１４ｂによって連結されている。
【００２８】
そして、下側フレーム１３の場合、その左右両側には、図１（ａ）や図２に示すように回転して下側フレーム１３と平行になる回転式の回転式標準脚部１３ａがネジ(図示せず。)によって回転可能に取り付けられている。
【００２９】
尚、左右の回転式標準脚部１３ａは、細幅の水平鋼板１３ａ１から構成されており、水平鋼板１３ａ１の前後両端の下面側には体育館等の床面の傷付きを防止する樹脂製の滑止め１３ａ２が設けられ、水平鋼板１３ａ１の中央ではなく偏心した位置にネジ(図示せず。)で下側フレーム１３に回転可能に設けられている。
【００３０】
そして、本実施形態では、上側フレーム１２の左右両側のスライドシャッター挿入穴１２ｂに設けた上側挿入穴用スライドシャッター１２ｃと同様に、下側フレーム１３の左右両側のスライドシャッター挿入穴１３ｂにも、それぞれ、そのスライドシャッター挿入穴１３ｂ内を水平方向（横方向）にスライドして左右両側の縦フレーム１１，１１の下側金具挿入穴１１ｂを遮蔽したり露出させることができるようにスライドシャッター挿入穴１３ｂの高さとほぼ同じ高さを有する下側挿入穴用スライドシャッター１３ｃを有する。
【００３１】
下側挿入穴用スライドシャッター１３ｃは、直方体形状のスライト体１３ｃ１と、スライド体１３ｃ１の上面に設けられ左右両側の縦フレーム１１，１１の下側金具挿入穴１１ｂを遮蔽したり露出させる平板状のシャッター体１３ｃ２とから構成されている。これにより、縦フレーム１１，１１の下側金具挿入穴１１ａ内にジョイント金具１６を収納させておく場合には、図２に示すように図２上、右側にスライドさせてシャッター体１３ｃ２により上側金具挿入穴１１ａを遮蔽して下側金具挿入穴１１ａからジョイント金具１６が落下することを防止等する一方、下側金具挿入穴１１ｂからジョイント金具１６を取り出して使用等する場合は、図５等に示すように図５上、左方向にスライドさせて下側金具挿入穴１１ｂを露出させる（開ける）。
【００３２】
尚、図２では、下側挿入穴用スライドシャッター１３ｃを図上右方向にスライドさせて下側金具挿入穴１１ｂを遮蔽し、図５ではジョイント金具１６を使用して多機能フェンス１を上下２段で連結しているため、上段の多機能フェンス１の下側挿入穴用スライドシャッター１３ｃを図５上、左方向にスライドさせて下側金具挿入穴１１ｂを露出させ（開け）ている状態を示している。
【００３３】
（間仕切りシート１５）
間仕切りシート１５は、図２に示すように、左右両側の縦フレーム１１，１１、上側水平フレーム１２および下側水平フレーム１３等によって構成された長方形フレーム１０に囲まれた空間を閉めるように設けられる塩化ビニール等のシートで、その大きは長方形フレーム１０の大きさとほぼ同一に構成され、長方形フレーム１０の表側および裏側それぞれに別々に取り付けられる。
【００３４】
そのため、間仕切りシート１５の縁部には、図２に示すように、長方形フレーム１０側の雄の面ファスナー１５ｂと設置間隔と同じ２０ｃｍ程度の設置間隔で雌の面ファスナー１５ａが設けられており、長方形フレーム１０を構成する左右両側の縦フレーム１１，１１、上側水平フレーム１２および下側水平フレーム１３の表面側および裏面側それぞれに適宜間隔で設けられた雄の面ファスナー１５ｂに接着して着脱自在に取り付けることができるように構成されている。尚、間仕切りシート１５側が雄の面ファスナー１５ｂで、長方形フレーム１０側が雌の面ファスナー１５ａでも勿論良い。
【００３５】
（ジョイント金具１６）
ジョイント金具１６は、図３(ａ)，(ｂ)に示すように、左右両側の縦フレーム１１の断面正方形状の上側金具挿入穴１１ａおよび下側金具挿入穴１１ｂ内に挿入できるように上側金具挿入穴１１ａおよび下側金具挿入穴１１ｂの内幅Ｗ２（図４参照。）と同じかそれ以下の幅Ｗ４（≦Ｗ１）を有する長尺の鋼板からなるジョイント金具本体１６ａと、ジョイント金具本体１６ａにおける後述するジョイント金具側ストッパー１６ｄの設置位置からジョイント金具本体１６ａ端部までの長さが短尺側の端部、すなわち後述するサブ突起１６ｅ側のジョイント金具本体１６ａ端部から突出するようジョイント金具本体１６ａに４本のビス１６ｃで固定されたナイロン製等で折曲げ自在のベルト１６ｂ等を備えて構成されている。
【００３６】
そして、サブ突起１６ｅ側のジョイント金具本体１６ａ端部から突出するベルト１６ｂは、ユーザが掴み易く、かつ、縦フレーム１１，１１の上側金具挿入穴１１ａまたは下側金具挿入穴１１ｂに挿入し易くなるように上端部を折り曲げて二重にして二重折畳み部１６ｂ１が設けられている。
【００３７】
ジョイント金具本体１６ａには、図３(ｂ)上、上端部から長さＬ３で、また図３(ｂ)上、下端部から長さＬ４の位置の不等分な位置に、縦フレーム１１，１１の上側金具挿入穴１１ａ内に設けられた水平受金具１４ａ上端部に当接するようにジョイント金具本体１６ａ表面からＤ１だけ突出したジョイント金具側ストッパー１６ｄが設けられている。尚、ジョイント金具側ストッパー１６ｄからベルト１６ｂの二重折畳み部１６ｂ１先端までの長さを、図３(ｂ)に示すようにＬ５とする。
【００３８】
ここで、図３(ｂ)に示すようにベルト１６ｂの二重折畳み部１６ｂ１の厚さとジョイント金具本体１６ａの厚さとを加算した厚さをＤ２とすると、縦フレーム１１，１１の上側金具挿入穴１１ａ内に挿入したジョイント金具１６のジョイント金具側ストッパー１６ｄが水平受金具１４ａに当接して止まるためには、
Ｗ３＜（Ｄ１＋Ｄ２）≦Ｗ２
の関係が成立する必要があり、本実施形態では、（Ｄ１＋Ｄ２）≒Ｗ２ないしは（Ｄ１＋Ｄ２）がＷ２よりも僅か小さくしている。これにより、図４に示すようにジョイント金具１６を縦フレーム１１，１１の上側金具挿入穴１１ａ内に収納している際のジョインと金具１６のガタ付き等を極力防止することができる。
【００３９】
また、ジョイント金具本体１６ａの上下両端部には縦フレーム１１，１１内側面と水平受金具１４ａとの間を通るようにジョイント金具本体１６ａ表面からＤ３だけ突出したサブ突起１６ｅ，１６ｆが設けられている。
【００４０】
ここで、ジョイント金具１６のサブ突起１６ｅ，１６ｆが縦フレーム１１，１１の上側金具挿入穴１１ａ内に挿入した際、フレーム側ストッパーである水平受金具１４ａに当接せずに素通りするためには、
（Ｄ３＋Ｄ２）≦Ｗ３
の関係が成立する必要があり、本実施形態では、（Ｄ３＋Ｄ２）≒Ｗ３ないしは（Ｄ３＋Ｄ２）がＷ３よりも僅か小さくしている。これにより、図５に示すようにジョイント金具１６を縦フレーム１１，１１の上側金具挿入穴１１ａ内に逆刺しして上下方向の連結金具として使用した際にジョイント金具１６のサブ突起１６ｅ，１６ｆそれぞれが縦フレーム１１の上側金具挿入穴１１ａおよび下側金具挿入穴１１ｂ内に設けたフレーム側ストッパーである水平受金具１４ａ、１４ａに当接するため、上下方向の連結金具として使用する際のジョインと金具１６のガタ付き等を極力防止することができる。
【００４１】
また、ジョイント金具１６は、図４に示すようにサブ突起１６ｆ側、すなわちジョイント金具側ストッパー１６ｄの設置位置からジョイント金具本体１６ａ端部までの長さが長尺側の端部を下にして縦フレーム１１の上側金具挿入穴１１ａに挿入した場合には、サブ突起１６ｅ側のジョイント金具本体１６ａ上端部が上側金具挿入穴１１ａに収容され、折り曲げ可能なベルト１６ｂの二重折畳み部１６ｂ１のみが突出すると共に、図５に示すようにサブ突起１６ｅ側を下にして縦フレーム１１の上側金具挿入穴１１ａに挿入した場合には、サブ突起１６ｅ側のジョイント金具本体１６ａ端部が上側金具挿入穴１１ａに収容され、ジョイント金具本体１６ａの大半が上側金具挿入穴１１ａから突出するためには、
Ｌ３≦Ｌ１＜Ｌ５、かつ、Ｌ１＋Ｌ２≦Ｌ４
の関係が成立している。尚、ここでは、ジョイント金具側ストッパー１６ｄの上下方向の厚み等は無視している。
【００４２】
ジョイント金具１６のジョイント金具側ストッパー１６ｄを中心にしてＬ３≦Ｌ１＜Ｌ５としたため、図４に示すように、ジョイント金具１６のサブ突起１６ｆ側を下にして縦フレーム１１の上側金具挿入穴１１ａに挿入してジョイント金具側ストッパー１６ｄ下側が上側金具挿入穴１１ａ内に設けられた水平受金具１４ａ上端部に当接して止まった場合には、ジョイント金具１６のサブ突起１６ｅ側の上端部は上側金具挿入穴１１ａから上方に突出せず、ナイロン製のベルト１６ｂ上端部の二重折畳み部１６ｂ１のみが縦フレーム１１の上側金具挿入穴１１ａから突出することになる。
【００４３】
これにより、ジョイント金具１６が必要なときはベルト１６ｂ上端部を掴んで上側金具挿入穴１１ａから取り出すことができると共に、多機能フェンス１１の上に別の多機能フェンス１１を積載せずに使用する場合や多機能フェンス１１の保管時には、フレーム１１の上側金具挿入穴１１ａから上方に突出するベルト１６ｂの二重折畳み部１６ｂ１は折り曲げ自在のナイロン製等の素材から形成されているため、折り曲げる等してジョイント金具１６を縦フレーム１１の上側金具挿入穴１１ａ内に収容させたり、上側フレーム１２の上側面に沿って折り曲げて邪魔にならないようにすることができる。尚、本実施形態では、縦フレーム１１の上側金具挿入穴１１ａ内にジョイント金具１６収容後は、ジョイント金具１６を紛失しないように上側挿入穴用スライドシャッター１２ｃをスライドさせシャッター体１２ｃ２により上側金具挿入穴１１ａを遮蔽できるように構成して説明しているが、本発明ではこれに限定されることはなく、ナイロンベルトや樹脂キャップ等で上側金具挿入穴１１ａに蓋をしても良いし、後述する図１４等に示すように上側フレーム１２の上側面に沿って折り曲げ、その上から上側シート両端開閉蓋部１５ｆ’，１５ｆ’を被せて飛び出さないようにすることもできる。
【００４４】
また、Ｌ１＋Ｌ２≦Ｌ４であるため、図５に示すようにジョイント金具１６を逆刺し、つまり図４の場合とは上下逆にジョイント金具１６を上下反転させてジョイント金具１６のサブ突起１６ｅ側を下にして縦フレーム１１の上側金具挿入穴１１ａに挿入した場合には、ジョイント金具１６のサブ突起１６ｆ側のジョイント金具本体１６ａは上側金具挿入穴１１ａから上方に突出するので、別の多機能フェンス１の縦フレーム１１の下側金具挿入穴１１ｂに挿入することができる。
【００４５】
これにより、多機能フェンス１１の上に別の多機能フェンス１１を積載する場合には、図４の場合とは異なりジョイント金具１６を上下反転させて、ジョイント金具１６のサブ突起１６ｅ側を下にして縦フレーム１１の上側金具挿入穴１１ａに挿入することにより、ジョイント金具１６を別の多機能フェンス１１を積載する場合、すなわち上下方向連結の際の接続金具として使用することが可能となる。
【００４６】
また、ジョイント金具１６は、後述する図１２（ｂ）や図１３（ｂ）に示すように多機能フェンス１１，１１を直線上に並べたり、直角方向に並べる際、隣接する多機能フェンス１１，１１の上側フレーム１２，１２の連結用穴部１２ａ、１２ａにそれぞれサブ突起１６ｅ，１６ｆを嵌め直線上に並べた多機能フェンス１１，１１および直角状に曲げて並べた多機能フェンス１１，１１の水平方向連結の際の連結金具としても使用することができる。
【００４７】
(嵩上げ用脚部１７)
嵩上げ用脚部１７は、図６(ａ)，(ｂ)に示す嵩上げ用脚部土台１７ａと、図６(ｃ)，(ｄ)に示す嵩上げ用脚部支柱１７ｂの２物品で構成されている。尚、嵩上げ用脚部土台には、図８(ａ)に示すような直線状の嵩上げ用脚部土台１７ａ’もある。
【００４８】
嵩上げ用脚部土台１７ａは、図６(ａ)，(ｂ)に示すように構成され、平面視、９０度の角度をなしＬ字形状に形成され、直角方向のそれぞれに３００ｍｍだけ延びた土台本体１７ａ１と、土台本体１７ａ１上面側に設けられた円環状の支柱受け部１７ａ２と、土台本体１７ａ１下面側に設けられた樹脂製で傷付きや滑りを防止する滑止め１７ａ３等から構成されている。尚、滑止め１７ａ３下面から支柱受け部１７ａ２上端部までの高さは、例えば、図６(ｂ)に示すように２００ｍｍ程度とする。
【００４９】
嵩上げ用脚部支柱１７ｂは、図６(ｃ)，(ｄ)に示すように構成され、幅が支柱受け部１７ａ２の内径とほぼ同じで、例えば、長さ３００ｍｍ程で縦フレーム１１の側面の厚さＷ１（図４参照。）のほぼ２倍の厚さの平板状の長尺鋼板からなる支柱本体１７ｂ１と、長さが１５０ｍｍ前後で支柱本体１７ｂの上下方向の下側半分の前後面に支柱本体１７ｂに対し直交するように溶接等で設けられ、その幅の２倍と支柱本体１７ｂ１の幅とが支柱受け部１７ａ２の内径とほぼ同じになる一対の補強板１７ｂ２，１７ｂ２と、支柱本体１７ｂの上部前後面に溶接やリベット１７ｂ３等で固定され、支柱本体１７ｂの上端部よりも７０ｍｍ程高く延びて縦フレーム１１の下側金具挿入穴１１ｂの側面を挟持する一対の挟持板１７ｂ４，１７ｂ４等から構成されている。
【００５０】
そして嵩上げ用脚部１７は、図７(ａ)〜(ｃ)に示すように嵩上げ用脚部土台１７ａの支柱受け部１７ａ２に嵩上げ用脚部支柱１７ｂ下端部を挿入して組み立てる。嵩上げ用脚部１７は、後述するように嵩上げ用脚部支柱１７ｂの一対の挟持板１７ｂ４，１７ｂ４間に縦フレーム１１の下側金具挿入穴１１ｂの側面を挿入し、多機能フェンス１の左右両側の縦フレーム１１，１１の下側金具挿入穴１１ｂ，１１ｂそれぞれに嵩上げ用脚部１７の一対の挟持板１７ｂ４，１７ｂ４を挟持させると、嵩上げ用脚部土台１７ａの高さである１５ｍｍと支柱本体１７ｂの高さである３００ｍｍの合計である約３１５ｍｍ程の嵩上げを行うことができる。
【００５１】
ここで、嵩上げ用脚部支柱１７ｂの支柱本体１７ｂ１は、その厚さが角パイプからなる縦フレーム１１，１１の側面の厚さＷ１のほぼ２倍の厚さであるため、後述するように本実施形態の多機能フェンス１を上下方向に２段積重ねた上で下側の多機能フェンス１左右両側の縦フレーム１１，１１それぞれに嵩上げ用脚部１７を装着して高さ約１８００ｍｍの目隠しとして使用する場合に、２枚の多機能フェンス１を横方向に接触させて連結する場合にジャストサイズとなってガタツキを防止できるので、非常に有益となる。
【００５２】
また、嵩上げ用脚部支柱１７ｂの支柱本体１７ｂ１は、その下端部を嵩上げ用脚部土台１７ａの支柱受け部１７ａ２に挿入して支持させるので、土台本体１７ａ１に対し支柱本体１７ｂ１の回転が可能となり、土台本体１７ａ１の角度を自由に変更でき、この点でも非常に有益となる。
【００５３】
また、嵩上げ用脚部は、図８(ａ)に示すような直線状の嵩上げ用脚部土台１７ａ’を使用して、図６(ｃ)，(ｄ)に示す嵩上げ用脚部支柱１７ｂをストレートな嵩上げ用脚部土台１７ａ’の支柱受け部１７ａ２に挿入し、図８(ｂ)，(ｃ)に示すような嵩上げ用脚部１７’の形態で使用するようにしても勿論良い。尚、本発明では、嵩上げ用脚部１７，１７ａ’はオプションで、省略しても良い。
【００５４】
＜本発明に係る多機能フェンス１の使用方法＞
（多機能フェンス１を上下に積み上げない場合）
この場合は、図１(ａ)，(ｂ)に示すように回転式標準脚部１３ａを９０度回転させて上側フレーム１２および下側フレーム１３に対し直交させて体育館の床等に多機能フェンス１を上下方向に１段の状態で横方向に複数台並べて、卓球やバレーボール、バスケットボール等の防球フェンスとして使用する。よって、この場合には、多機能フェンス１が１台では、高さ７５０ｍｍ、幅１４００ｍｍの防球フェンスとなる。尚、多機能フェンス１を上下に積み上げずに１段の状態で横方向に複数台並べる際に、ジョイント金具１６を横方向に連結する際の連結金具として使用できるが、この点については後述するものとする。
【００５５】
そして、多機能フェンス１左右両側の回転式標準脚部１３ａは、それぞれ、後述する多機能フェンス１を上下に積み上げた場合を示す図９に示す場合と同様に、長く突出する部分が左右両側で交互に入れ替わるように回転させると、多機能フェンス１が前後両側に転倒し難くなる。
【００５６】
（多機能フェンス１を上下に積み上げて２段とする場合）
多機能フェンス１を上下に積み上げて２段とするためには、例えば、下側の多機能フェンス１の左右両側の縦フレーム１１，１１の上側金具挿入穴１１ａに図４に示すように挿入され収容されているジョイント金具１６を取り出して、図４の場合とは異なりジョイント金具１６を上下反転させ、図５に示すようにジョイント金具１６のサブ突起１６ｅ側を下にして縦フレーム１１の上側金具挿入穴１１ａに挿入する。
【００５７】
すると、左右両側の縦フレーム１１，１１の上側金具挿入穴１１ａからジョイント金具１６のサブ突起１６ｆ側が突出するため、上方に突出するジョイント金具１６のサブ突起１６ｆ側の上端部に、図５に示すように２段目となる別の多機能フェンス１の縦フレーム１１の下側金具挿入穴１１ｂを挿入する。
【００５８】
これで、ジョイント金具１６を介して図９に示すように２台の多機能フェンス１を上下方向に２段で簡単に積み上げることができる。これにより、１台の多機能フェンス１が約７５０ｍｍの高さを有するため、２段に積み上げることにより１５００ｍｍの高さにすることができる。尚、１段目の多機能フェンス１では、図１(ａ)，(ｂ)に示す場合と同様に回転式標準脚部１３ａを左右交互に９０度回転させて上側フレーム１２および下側フレーム１３に対し直交させて倒れないようにする。
【００５９】
ここで、多機能フェンス１を横方向（水平方向）に並べる場合には、図９に示すように例えば上段の多機能フェンス１の左右両側の縦フレーム１１，１１の上側金具挿入穴１１ａからジョイント金具１６を取り出し、図１０(ａ)，(ｂ)に示すように横方向（水平方向）に並んでいる多機能フェンス１，１の上側水平フレーム１２，１２間にジョイント金具側ストッパー１６ｄおよびサブ突起１６ｅ，１６ｆ側が下側になるようにジョイント金具１６を載せ、ジョイント金具１６のジョイント金具側ストッパー１６ｄおよびサブ突起１６ｅ，１６ｆそれぞれが上側水平フレーム１２，１２それぞれに設けられた連結用穴部１２ａに嵌まり、多機能フェンス１を直線状に連結した際の連結金具として使用しても良い。
【００６０】
尚、このように横方向（水平方向）に並んでいる多機能フェンス１，１の上側水平フレーム１２，１２間にョイント金具側ストッパー１６ｄおよびサブ突起１６ｅ，１６ｆ側が下側になるようにジョイント金具１６を載せ、ジョイント金具１６のジョイント金具側ストッパー１６ｄおよびサブ突起１６ｅ，１６ｆを上側水平フレーム１２，１２それぞれの連結用穴部１２ａに嵌め連結金具として使用することは、図１に示すように多機能フェンス１を上下方向に積み上げずに横方向（水平方向）に並べていく場合にも使用することができる。
【００６１】
（多機能フェンス１を上下方向に積み上げ、さらに嵩上げ用脚部１７で嵩上げする場合）
図９に示すようにジョイント金具１６を介して２台の多機能フェンス１を上下方向に２段に積み上げて連結した場合には、約１５００ｍｍの高さにすることができるものの、災害時等の目隠しフェンスとして使用する場合、高さがやや物足りず、１８００ｍｍ程度の高さが望まれている。
【００６２】
そのため、多機能フェンス１を上下方向に２段連結した上に、さらに図１１に示すように下段の多機能フェンス１の左右両側の縦フレーム１１の下側金具挿入穴１１ｂの側面を嵩上げ用脚部１７の一対の挟持板１７ｂ４，１７ｂ４間に装着して嵩上げを行う。
【００６３】
嵩上げ用脚部１７の装着により約３１５ｍｍ程の嵩上げを行うことができるので、本実施形態の多機能フェンス１を上下方向に２段積重ねた上で下側の多機能フェンス１左右両側の縦フレーム１１，１１それぞれに嵩上げ用脚部１７を装着して高さ約１８００ｍｍとなり、災害時等の目隠しと非常に有益となる。
【００６４】
その際、嵩上げ用脚部１７，１７’は、それぞれ、図７〜図９に示すように嵩上げ用脚部土台１７ａ，１７ａ’と、嵩上げ用脚部支柱１７ｂとの独立した別物品で構成されており、嵩上げ用脚部支柱１７ｂは嵩上げ用脚部土台１７ａ，１７ａ’の支柱受け部１７ａ２，１７ａ２’とに挿入され回転可能状態で支持されているため、嵩上げ用脚部支柱１７ｂに対し嵩上げ用脚部土台１７ａ，１７ａ’の角度を任意に変更することができる。
【００６５】
そのため、図１１に示すように、隣接する多機能フェンス１，１同士を一直線上に連結したＢ部分や、隣接する多機能フェンス１，１同士を直角方向に連結したコーナー部分であるＣ部分や、さらには複数の多機能フェンス１を連結した際の端部であるＤ，Ｅ部分では、嵩上げ用脚部土台１７ａ，１７ａ’の角度を多機能フェンス１の方向に合わせて自由に回転することができるので、嵩上げ用脚部支柱１７ｂに対し嵩上げ用脚部土台１７ａ，１７ａ’の設置角度を変更した嵩上げ用脚部１７を複数用意する必要がなくなると共に、多機能フェンス１を上下方向に２段連結すると共に横方向（水平方向）に連結した上で嵩上げ用脚部１７により高さを３１５ｍｍ程嵩上げした場合でも、嵩上げ用脚部土台１７ａ，１７ａ’の設置角度を適宜調整することが可能となり、多機能フェンス１を連結して設置した際の強度を向上させることができる。
【００６６】
また、例えば、図１１のＢ部分に示すように直接方向に並んでいる下段の多機能フェンス１，１それぞれの隣接する縦フレーム１１，１１の下側金具挿入穴１１ｂ，１１ｂに嵩上げ用脚部１７を装着する場合は、図１２（ａ），（ｂ）に示すように隣接する縦フレーム１１，１１下端それぞれの側面を一対の挟持板１７ｂ４，１７ｂ４間で挟持する一方、図１１のＣ部分に示すように直角方向に並んでいる下段の多機能フェンス１，１それぞれの直角状態で隣接する縦フレーム１１，１１の下側金具挿入穴１１ｂ，１１ｂに嵩上げ用脚部１７を装着する場合は、図１３（ａ）に示すように直角状態で隣接する縦フレーム１１，１１下端それぞれの側面を一対の挟持板１７ｂ４，１７ｂ４間で挟持する。
【００６７】
すると、嵩上げ用脚部支柱１７ｂの支柱本体１７ｂ１の厚さが角パイプからなる縦フレーム１１，１１の側面の厚さＷ１のほぼ２倍の厚さのジャストサイズであるため、多機能フェンス１，１の下側にガタツキが少ない状態で嵩上げ用脚部１７を装着することが可能となり、ガタ付き防止のためにネジ等で嵩上げ用脚部１７を多機能フェンス１，１の下側に固定する必要もなくなるので、非常に簡単に嵩上げを行うことができる。
【００６８】
また、図１１に示すように嵩上げ用脚部１７によって多機能フェンス１，１の嵩上げを行う場合も、図１２（ｂ）に示すように直線状に連結した上段の多機能フェンス１の左右両側の縦フレーム１１，１１の上側金具挿入穴１１ａからジョイント金具１６を取り出し、図１１のＦ部分において、図１２(ｂ)に示すように横方向（水平方向）に並んでいる多機能フェンス１，１の上側水平フレーム１２，１２間にジョイント金具１６を載せ、ジョイント金具１６のジョイント金具側ストッパー１６ｄおよびサブ突起１６ｅ，１６ｆそれぞれを上側水平フレーム１２，１２それぞれに設けられた連結用穴部１２ａに嵌め、多機能フェンス１を直線状に連結した際の連結金具として使用しても良い。このようにジョイント金具１６を使用すると、直線状に連結した多機能フェンス１，１が分断し難くなり、全体として強度を向上させることができる。
【００６９】
同様に、多機能フェンス１，１を直角方向に連結した場合には、上段の多機能フェンス１の縦フレーム１１，１１の上側金具挿入穴１１ａからジョイント金具１６を取り出し、図１１のＧ部分において、図１３(ｂ)に示すように直角に連結した多機能フェンス１，１の上側水平フレーム１２，１２間にジョイント金具１６を載せジョイント金具本体１６ａ両端部のサブ突起１６ｅ，１６ｆを上側水平フレーム１２，１２それぞれに設けられた連結用穴部１２ａに嵌め、多機能フェンス１を直角に連結した際の筋交い等の連結金具として使用しても良い。このようにジョイント金具１６を使用すると、直角に連結した多機能フェンス１，１が分断し難くなり、全体として強度を向上させることができる。尚、図１３（ｂ）では、図１２（ｂ）とは異なりジョイント金具１６のベルト１６ｂは図示を省略しており、ジョイント金具本体１６ａのみ図示しており、図１３（ｂ）に示すように直角方向に並んでいる上段の多機能フェンス１，１それぞれの上側水平フレーム１２，１２から斜めの筋交い等の連結金具として使用する場合には、ジョイント金具本体１６ａの両端部が直角方向に並んでいる上段の多機能フェンス１，１それぞれの上側水平フレーム１２，１２から突出しないように寸法等を設定すると良い。また、このよう直線状や直角に連結した多機能フェンス１，１の上側水平フレーム１２，１２間にジョイント金具１６を載せて、ジョイント金具１６のジョイント金具側ストッパー１６ｄおよびサブ突起１６ｅ，１６ｆを上側水平フレーム１２，１２それぞれの連結用穴部１２ａに嵌めて直線状連結および直角連結の際の連結金具として使用することは、図１に示すように多機能フェンス１を上下方向に積み上げずに１段で並べ連結する場合にも使用することができる。
【００７０】
＜実施形態の多機能フェンス１のまとめ＞
以上説明したように本発明に係る実施形態の多機能フェンス１では、縦フレーム１１，１１の上端部および下端部には、ジョイント金具１６が挿入される上側金具挿入穴１１ａと下側金具挿入穴１１ｂを設け、縦フレーム１１，１１上端部の上側金具挿入穴１１ａと下側金具挿入穴１１ｂにはジョイント金具１６が突出するように挿入し、ジョイント金具１６の突出部分を別の多機能フェンス１の縦フレーム１１，１１下端部の下側金具挿入穴１１ｂに挿入して上下方向に複数段の多機能フェンス１が連結できるように構成している。
【００７１】
そのため、本発明に係る実施形態の多機能フェンス１によれば、上下方向に多機能フェンス１を積み上げない場合には卓球やバレー、バスケットボール等の防球フェンスとして使用できる一方、災害時等のようにプライバシーを確保するため間仕切り等として使用する場合には多機能フェンス１を上下方向に積み上げて目隠しとして使用することができるので、通常時も災害時も使用でき、使用勝手が優れた多機能フェンス１を提供することができる。
【００７２】
また、本発明に係る実施形態の多機能フェンス１では、ジョイント金具１６は、縦フレーム１１，１１に設けられた上側金具挿入穴１１ａと下側金具挿入穴１１ｂに挿入可能なジョイント金具本体１６ａの長手方向の両端部から不等分な位置にジョイント金具側ストッパー１６ｄを設ける一方、縦フレーム１１，１１の上端部に設けられた上側金具挿入穴１１ａには、縦フレーム１１，１１の上端部からジョイント金具１６のジョイント金具側ストッパー１６ｄの設置位置とジョイント金具１１端部までの長さの内、短尺側の長さＬ３の位置にジョイント金具のジョイント金具本体は通し、かつ、ジョイント金具側ストッパーは通さないフレーム側ストッパーとして機能する水平受金具１４ａを設けている。
【００７３】
そのため、当該多機能フェンス１の上方に別の多機能フェンス１を載置しない場合には、当該多機能フェンス１の縦フレーム１１，１１の上端部に設けられた上側金具挿入穴１１ａに、ジョイント金具側ストッパー１６ｄからジョイント金具１６端部までの長さが長尺側となるサブ突起１６ｆ側を下にして挿入して、縦フレーム１１，１１の上端部からジョイント金具本体１６ａの短尺側端部が突出しないように収容可能であるため、ジョイント金具１６を使用しない場合には、多機能フェンス１左右両側の縦フレーム１１，１１内に収容させておくことが可能となり、ジョイント金具１６の紛失等を防止することができる。
【００７４】
その一方、当該多機能フェンス１の上方に別の多機能フェンス１を載置する場合には、当該多機能フェンス１の縦フレーム１１，１１の上端部に設けられた上側金具挿入穴１１ａに、ジョイント金具側ストッパー１６ｄからジョイント金具１６端部までの長さが短尺側となるサブ突起１６ｅ側を下にして挿入して、縦フレーム１１，１１の上端部からジョイント金具本体１６ａの長尺側端部を突出させ、その突出部分に別の多機能フェンス１の縦フレーム１１，１１下端部の下側金具挿入穴１１ｂを挿入して上下方向に複数段の多機能フェンス１を連結させることができるため、ジョイント金具１６を使用して上下方向に複数段の多機能フェンス１を確実かつ簡単に連結することができる。
【００７５】
また、本発明に係る実施形態の多機能フェンス１では、ジョイント金具１６には、ジョイント金具側ストッパー１６ｄの設置位置からジョイント金具本体１６ａ端部までの長さが短尺側であるサブ突起１６ｅを設けた側の端部から突出するように折り曲げ自在のベルト１６ｂを設けている。
【００７６】
そのため、ジョイント金具１６を連結金具として使用する場合にはベルト１６ｂ上端部を掴んで上側金具挿入穴１１ａから簡単に取り出すことができると共に、多機能フェンス１１の上に別の多機能フェンス１１を積載せずに使用する場合や多機能フェンス１１の保管時には、フレーム１１の上側金具挿入穴１１ａから上方に突出するベルト１６ｂの二重折畳み部１６ｂ１を折り曲げる等してジョイント金具１６を縦フレーム１１の上側金具挿入穴１１ａ内に収容させたり、上側フレーム１２の上側面に沿って折り曲げて邪魔にならないようにすることができる。
【００７７】
また、本発明に係る実施形態の多機能フェンス１では、ジョイント金具１６の両端部には、さらに、ジョイント金具側ストッパー１６ｄの突出量Ｄ１よりも小さく、縦フレーム１１，１１の上端部および下端部に設けられた上側金具挿入穴１１ａと下側金具挿入穴１１ｂに設けられたフレーム側ストッパーである水平受金具１４ａと上側金具挿入穴１１ａまたは下側金具挿入穴１１ｂ内側面との間の隙間も挿入可能な突出量Ｄ３であるサブ突起１６ｅ，１６ｆを設ける一方、上側水平フレーム１２の左右両端部には、ジョイント金具１６のサブ突起１６ｅ，１６ｆが嵌る連結用穴部１２ａを形成しており、複数の多機能フェンス１を直角または直線状に連結する場合、隣接する２つの多機能フェンス１の上側水平フレーム１２の連結用穴部１２ａそれぞれに、ジョイント金具１６のサブ突起１６ｅ，１６ｆを嵌めることができる。
【００７８】
そのため、ジョイント金具１６は、多機能フェンス１を上下方向に連結する場合だけでなく、横方向で直線状および直角に連結する際にも連結金具として機能するので、非常に有益な連結金具として利用することができる。
【００７９】
また、本発明に係る実施形態の多機能フェンス１では、コーナー金具１４と縦フレーム１１の上側金具挿入穴１１ａおよび下側金具挿入穴１１ｂ内でネジ１４ｂにより固定され受金具１４ａを、ジョイント金具１６のジョイント金具側ストッパー１６ｄと当接するフレーム側ストッパーとして機能させている。
【００８０】
そのため、受金具１４ａは、フレーム側ストッパーとしても機能するので、専用のフレーム側ストッパーを設ける必要がなくなり、部品点数を減らすことができ、コストを低減することができる。
【００８１】
また、本発明に係る実施形態の多機能フェンス１では、上側水平フレーム１２および下側水平フレーム１３の左右両側には、それぞれ、スライドシャッター挿入穴１２ｂ，１３ｂが設けられており、そのスライドシャッター挿入穴１２ｂ，１３ｂにはスライドしてそれぞれ左右両側の縦フレーム１１，１１の上端部および下端部に設けられた上側金具挿入穴１１ａおよび下側金具挿入穴１１ｂを遮蔽したり露出させる上側挿入穴用スライドシャッター１２ｃおよび下側挿入穴用スライドシャッター１３ｃを設けている。
【００８２】
そのため、例えば、縦フレーム１１，１１の上側金具挿入穴１１ａ内にジョイント金具１６を収納させておく場合には、上側挿入穴用スライドシャッター１２ｃを右側にスライドさせてシャッター体１２ｃ２により上側金具挿入穴１１ａを遮蔽して上側金具挿入穴１１ａ内にゴミや指等が入らないように遮蔽することができる一方、上側金具挿入穴１１ａからジョイント金具１６を取り出して使用する場合は、左側にスライドさせて上側金具挿入穴１１ａを露出させる（開ける）ことができ、とても便利である。また、下側挿入穴用スライドシャッター１３ｃの場合も同様に、上下方向に積載しないで１段で使用する場合には、下側挿入穴用スライドシャッター１３ｃを右側にスライドさせてシャッター体１３ｃ２により上側金具挿入穴１１ａを遮蔽して下側金具挿入穴１１ａに指等を間違っていれないようにする一方、ジョイント金具１６を挿入して上段の多機能フェンス１として使用する場合は、下側挿入穴用スライドシャッター１３ｃを左方向にスライドさせジョイント金具１６を挿入することができ、とても便利である。
【００８３】
また、本発明に係る実施形態の多機能フェンス１では、さらに、左右両側の縦フレーム１１，１１の下端部にそれぞれ装着して多機能フェンス１の高さを嵩上げする嵩上げ用脚部１７を設けている。
【００８４】
そのため、１台の多機能フェンス１が約７５０ｍｍの高さを有するため、２段に積み上げることにより１５００ｍｍの高さにすることができるものの、災害時等の目隠しフェンスとして使用する場合、高さがやや物足りなかったが、下段の多機能フェンス１の左右両側の縦フレーム１１の下側金具挿入穴１１ｂに嵩上げ用脚部１７を装着することによって３１５ｍｍ程の嵩上げを行って高さ約１８００ｍｍとなり、災害時等の目隠しと非常に有益なものとすることができる。
【００８５】
尚、上記実施形態の説明では、間仕切りシート１５は、図２に示すように多機能フェンス１を構成する長方形フレーム１０の表裏それぞれに設けるものとして説明したが、本発明ではこれに限らず、例えば、図１４（ａ）〜（ｃ）に示すように長方形フレーム１０の表側を覆う表側シート部１５ｃ’と、長方形フレーム１０の裏側を覆う裏側シート部１５ｄ’と、表側シート部１５ｃ’と裏側シート部１５ｄ’とを連結すると共に長方形フレーム１０の上側である上側水平フレーム１２の上側面を覆う上側シート部１５ｅ’と、上側シート部１５ｅ’の前後両端で切り込みを入れることによって長方形フレーム１０両側の縦フレーム１１，１１上端部や上側水平フレーム１２の連結用穴部１２ａ近傍を被覆したり、ジョイント金具１６を取り出したり、ジョイント金具１６を連結金具として使用して隣接する多機能フェンス１，１同士を連結する場合に露出することができる上側シート両端開閉蓋部１５ｆ’，１５ｆ’とを有する表裏一体の１枚物の間仕切りシート１５’等で構成するようにしても勿論良い。
【００８６】
また、上記実施形態の説明では、図２に示すように間仕切りシート１５と長方形フレーム１０とは雄雌の面ファスナー１５ａ，１５ｂで着脱自在に装着可能に説明したが、本発明ではこれに限らず、磁石や紐等により長方形フレーム１０に着脱自在に装着可能となるようにしても勿論良い。
【００８７】
また、上記実施形態の説明では、多機能フェンス１の長方形フレーム１０を構成する左右両側の縦フレーム１１,１１や上側水平フレーム１２および下側水平フレーム１３は全て断面が正方形状の角パイプにより説明したが、これはあくまで一例であって本発明はこれに限定されるものではなく、縦フレーム１１,１１や上側水平フレーム１２および下側水平フレーム１３に断面が円形や楕円形の丸パイプ（円管）等を使用しても良いし、上側水平フレーム１２および下側水平フレーム１３のみ断面正方形状の角パイプを使用し、縦フレーム１１,１１には丸パイプ（円管）等を使用するというように組み合わせても勿論良く、縦フレーム１１,１１や上側水平フレーム１２および下側水平フレーム１３に断面形状を適宜変更しても本発明の範囲に当然に含まれるものである。
【００８８】
また、上記実施形態の説明では、多機能フェンス１の幅が１４００ｍｍ、高さが７５０ｍｍで説明したが、これはあくまで一例であって本発明はこの寸法に限定されるものではなく、例えば、幅が２０００ｍｍで高さが７５０ｍｍ、幅が２０００ｍｍで高さが８００ｍｍ、幅が１８００ｍｍで高さが７５０ｍｍ、幅が１２００ｍｍで高さが８００ｍｍ等、幅および高さを適宜変更しても本発明の範囲に当然に含まれるものである。
【００８９】
また、上記実施形態の説明では、嵩上げ用脚部１７は、図６(ａ)，(ｂ)に示す嵩上げ用脚部土台１７ａまたは図８(ａ)に示すような直線状の嵩上げ用脚部土台１７ａ’と、図６(ｃ)，(ｄ)に示す嵩上げ用脚部支柱１７ｂの２物品で構成して説明したが、これはあくまで一例であって本発明はこのような構成の嵩上げ用脚部１７に限定されるものではなく、例えば、嵩上げ用脚部土台１７ａまたは図８(ａ)に示すような直線状の嵩上げ用脚部土台１７ａ’と、図６(ｃ)，(ｄ)に示す嵩上げ用脚部支柱１７ｂの１物品で固定されて構成されていても良いし、さらには図示しないが例えば、図６（ａ），（ｂ）に示すＬ字形状を構成されている土台本体１７ａ１が２枚の長尺の鋼材に分割して構成され、それぞれ支柱受け部１７ａ２を中心に回転可能に構成し、その２枚の長尺の鋼材をそれぞれ支柱受け部１７ａ２を中心に回転させることにより９０度のＬ字形状になったり、図８（ａ）に示す嵩上げ用脚部土台１７ａ’のように１８０度の直線状になったり、さらにはユーザ操作によって扇子等のように適宜１３５度や６０度等の任意の角度や、さらには０度に重ねてスペースを最小化できるように構成しても本発明の範囲に当然に含まれるものである。
【００９０】
以上、本発明に係る実施形態の多機能フェンス１を説明したが、上記に説明した実施形態の多機能フェンス１の構成や形状、寸法、大きさ等はあくまで本発明の一例であって本発明は上記の実施形態に限定されるものではなく、本発明の技術思想の範囲内で多機能フェンスの構成や形状、寸法、大きさ等は適宜変更可能である。
【符号の説明】
【００９１】
１  多機能フェンス
１０  長方形フレーム
１１  縦フレーム
１１ａ  上側金具挿入穴
１１ｂ  下側金具挿入穴
１２  上側水平フレーム
１２ａ  連結用穴部
１２ｂ  スライドシャッター挿入穴
１２ｃ  上側挿入穴用スライドシャッター
１２ｃ１  スライト体
１２ｃ２  シャッター体
１３  下側水平フレーム
１３ａ  回転式標準脚部
１３ａ１  水平鋼板
１３ｂ  スライドシャッター挿入穴
１３ｃ  下側挿入穴用スライドシャッター
１３ｃ１  スライト体
１３ｃ２  シャッター体
１３ａ２  滑止め。
１４  コーナー金具
１４ａ  受金具（フレーム側ストッパー）
１５  間仕切りシート
１５ａ  雄の面ファスナー
１５ｂ  雌の面ファスナー
１６  ジョイント金具
１６ａ  ジョイント金具本体１６ａ
１６ｂ  ベルト
１６ｂ１  折返し部
１６ｃ  ビス
１６ｄ  ジョイント金具側ストッパー
１６ｅ  短尺側サブ突起
１６ｆ  長尺側サブ突起
１７  嵩上げ用脚部
１７ａ，１７ａ’  嵩上げ用脚部土台
１７ａ１，１７ａ１’  土台本体
１７ａ２，１７ａ２’  支柱受け部
１７ａ３，１７ａ３’  滑止め
１７ｂ  嵩上げ用脚部支柱
１７ｂ１  支柱本体
１７ｂ２，１７ｂ２  補強板
１７ｂ３  リベット
１７ｂ４，１７ｂ４  挟持板
１５’  間仕切りシート
１５ｃ’  裏側シート部
１５ｄ’  表側シート部
１５ｅ’  上側シート部
１５ｆ’，１５ｆ’  上側シート両端開閉蓋部
【要約】      （修正有）【課題】上下方向に積み上げない場合には防球フェンスとして使用できる一方、プライバシーを確保するため間仕切り等として使用する場合には簡単に積み上げて目隠しとして使用できる多機能フェンスを提供する。【解決手段】縦フレーム１１，１１の上端部および下端部には、ジョイント金具が挿入される上側金具挿入穴１１ａと下側金具挿入穴１１ｂが設けられており、縦フレーム１１，１１上端部の上側金具挿入穴１１ａと下側金具挿入穴１１ｂにはジョイント金具が突出するように挿入され、ジョイント金具の突出部分を別の多機能フェンスの縦フレーム１１，１１下端部の上側金具挿入穴１１ａと下側金具挿入穴１１ｂに挿入して上下方向に複数段の多機能フェンスが連結できるように構成した。【選択図】図５【図１】
0006719041.tif 000002
【図２】
0006719041.tif 000003
【図３】
0006719041.tif 000004
【図４】
0006719041.tif 000005
【図５】
0006719041.tif 000006
【図６】
0006719041.tif 000007
【図７】
0006719041.tif 000008
【図８】
0006719041.tif 000009
【図９】
0006719041.tif 000010
【図１０】
0006719041.tif 000011
【図１１】
0006719041.tif 000012
【図１２】
0006719041.tif 000013
【図１３】
0006719041.tif 000014
【図１４】
0006719041.tif 000015